(57)【要約】  【課題】発光素子、スイッチ、ボタン、およびそのヒンジ構造とを備えたスイッチ構造において、優れた操作感と雰囲気のある点灯状態が得られるような配置構造の提供。  【解決手段】本発明にかかるスイッチ構造においては、発光素子とともに基板に配設された押しボタン式のスイッチを、樹脂製のボタンを介して押圧／開放することによって操作するように構成されたスイッチ構造において、前記ボタンを押圧／開放操作可能に支持するヒンジ構造を遮光素材で形成するとともに、前記ヒンジ構造の少なくとも一部分で前記発光素子を囲繞することによって、前記発光素子から側方への光の漏れを防止するように構成した。【選択図】      図１
2005197014.tif 000002
【特許請求の範囲】
【請求項１】
発光素子とともに基板に配設された押しボタン式のスイッチを、樹脂製のボタンを介して押圧／開放することによって操作するように構成されたスイッチ構造において、
前記ボタンを押圧／開放操作可能に支持するヒンジ構造を遮光素材で形成するとともに、前記ヒンジ構造の少なくとも一部分で前記発光素子を囲繞することによって、前記発光素子から側方への光の漏れを防止するように構成したことを特徴とするスイッチ構造。
【請求項２】
前記スイッチは、操作者の手の押圧／開放する動作によって操作し得るように配設され、前記スイッチは、前記発光素子より、操作者の手の押圧／開放する動作の支点に近い部位に配設されていることを特徴とする請求項１に記載のスイッチ構造。
【請求項３】
前記ヒンジ構造の少なくとも一部分で囲繞された前記発光素子の光軸上にレンズの中心部分を配設し、前記レンズの周囲部分で前記ヒンジ構造を覆うように配設したことを特徴とする請求項１または２の何れか１項に記載のスイッチ構造。
【発明の詳細な説明】
【技術分野】
【０００１】
本発明は、発光素子とともに基板に配設された押しボタン式のスイッチを、樹脂製のボタンを介して押圧／開放することによって操作するように構成されたスイッチ構造に関するものである。
【背景技術】
【０００２】
従来より、複数組の発光素子と押しボタン式のスイッチが基板に配設され、これらの押しボタンスイッチをそれぞれ合成樹脂製のボタンを介して押圧／開放することによって操作するように構成されたスイッチ構造が採用されている。
そして、前記合成樹脂製のボタンを押圧／開放可能に支持するためのヒンジ構造は、前記発光素子の視認性を確保するために、発光素子を避けて離れた位置に配設されることが多い。また、対をなす発光素子と押しボタン式とは隣接して配設されることが好ましいが、操作者の指で隠れないようにするためには、前記スイッチが発光素子より手前に位置することが好ましい。従って、前記ボタンのヒンジ構造は前記ボタンよりさらに手前に配設せざるを得なくなる。
以上のことから、図６に示したように、発光素子101、スイッチ102およびボタン103、ヒンジ構造104の順に手前に向かって配設されることが自然な構成と言える。
なお、「手前」とは、操作者の手の押圧／開放する動作の支点に近い部位側を指している。
【発明の開示】
【発明が解決しようとする課題】
【０００３】
ところが、上述したような構成では、前記発光素子101からの光が側方へ漏れやすいという問題がある。そのため、前記発光素子101の光軸上に特定意匠のレンズを配置した場合に、レンズ面が全体的にほぼ均一な明るさとなり、レンズ面の部位によって徐々に明るさが異なるというような雰囲気のある点灯状態が得にくいという問題があった。
また、前記ヒンジ構造がボタンより手前にあるために、指先等で押したときの操作感覚が不自然に感じられて、優れた操作感が得られにくいという問題があった。
【０００４】
そこで、本発明は、発光素子、スイッチ、ボタン、およびそのヒンジ構造とを備えたスイッチ構造において、優れた操作感と雰囲気のある点灯状態が得られるような配置構造の提供を目的としてなされたものである。
【課題を解決するための手段】
【０００５】
本発明にかかるスイッチ構造の請求項１では、
発光素子とともに基板に配設された押しボタン式のスイッチを、樹脂製のボタンを介して押圧／開放することによって操作するように構成されたスイッチ構造において、
前記ボタンを押圧／開放操作可能に支持するヒンジ構造を遮光素材で形成するとともに、前記ヒンジ構造の少なくとも一部分で前記発光素子を囲繞することによって、前記発光素子から側方への光の漏れを防止するように構成した。
請求項２では、
前記スイッチは、操作者の手指で押圧／開放する動作によって操作し得るように配設され、前記スイッチは、前記発光素子より、操作者の手の押圧／開放する動作の支点に近い部位に配設されている構成とした。
請求項３では、
前記ヒンジ構造の少なくとも一部分で囲繞された前記発光素子の光軸上にレンズの中心部分を配設し、前記レンズの周囲部分で前記ヒンジ構造を覆うように配設した。
【発明の効果】
【０００６】
本発明によれば、
発光素子とともに基板に配設された押しボタン式のスイッチを、樹脂製のボタンを介して押圧／開放することによって操作するように構成されたスイッチ構造において、
前記ボタンを押圧／開放操作可能に支持するヒンジ構造を遮光素材で形成するとともに、前記ヒンジ構造の少なくとも一部分で前記発光素子を囲繞することによって、前記発光素子から側方への光の漏れを防止するように構成したので、発光素子の点灯状態の視認性が改善される。
そして、
前記スイッチは、操作者の手の押圧／開放する動作によって操作し得るように配設され、前記スイッチは、前記発光素子より、操作者の手の押圧／開放する動作の支点に近い部位に配設されているので、優れた操作性が得られる。
そして、
前記ヒンジ構造の少なくとも一部分で囲繞された前記発光素子の光軸上にレンズを配設したので側方への光の漏れが少なくなり、レンズの中心部分は十分に明るくなる。また、前記レンズの周囲部分は前記ヒンジ構造を覆うように配設したので、レンズの周囲部分には十分な光が入射せずレンズの周囲部分は暗くなる。従って、レンズの中心部分から周囲部分に向かって徐々に暗くなるという雰囲気のある点灯状態が得られる。
【発明を実施するための最良の形態】
【０００７】
以下に、本発明にかかるスイッチ構造を、その実施の形態を示した図面に基づいて詳細に説明する。
分解斜視図を示した図１において、
１は遮光性のある不透明な合成樹脂性の成形物であり、フレーム部分２にヒンジ構造３を介してボタン４が形成されている。
前記フレーム部分２には固定用の孔を備えた成形部分21が形成されている。
前記ヒンジ構造３は間隔を開けて並設された２本の腕31、31から構成され、これらの腕31、31は前記ボタン４と共に前記成形物１と一体成形されている。前記腕31、31はヒンジとして機能するために適当な弾性を備えている。
前記ボタン４の裏面には後述するスイッチを押圧するための突起41が形成されている。
なお、このようなボタン４とそのヒンジ構造３とが、複数組形成されているが、その１組について説明して、他の組に関してはその説明を省略する。
【０００８】
５はレンズであり、入射側の幅は前記２本の腕31、31の間に遊装し得る幅とし、出射側の幅は前記２本の腕31、31の外寸より広い幅に形成されている。このレンズ５は、前記フレーム部分２の凹部21に勘合固定するための突起51が形成されている。
なお、このようなレンズ５が、複数備えているが、その１つについて説明して、他に関してはその説明を省略する。
【０００９】
６は基板であり、発光素子としての発光ダイオード７と、押しボタン式のスイッチ８とが配設されている。前記発光ダイオード７は、前記２本の腕31、31に位置するように配設されている。また、前記スイッチ８は前記ボタン４の裏面の突起に対向する位置に配設されている。
なお、このような発光ダイオード７とスイッチ８とが、複数組配設されているが、その１組について説明して、他の組に関してはその説明を省略する。
【００１０】
図２には、組み立てた状態の斜視図を示した。
また、図３には前記成形物１の平面図を示し、図４にはその側面図を示した。なお、これらの図については、図１と同一部材に関しては同一の符号を付してその説明を省略した。
【００１１】
組み立てた状態の側面断面図を示した図５に示したように、
基板６上の発光ダイオード７は、ヒンジ構造３を構成する前記２本の腕31、31とフレーム部分２とによって囲繞されており、側方への光の漏れは少ない。そして、前記発光ダイオード７の光軸上に前記レンズ５が配設されている。前記レンズ５の突起51は前記フレーム部分の凹部21に勘合されて固定されている。
また、前記ボタン４の裏面に形成された突起41によって、前記スイッチ８を押圧し得るように配設されている。
以上の構成において、図５の図面上の右側に操作者の手の支点（手首等）が来るような位置なっている場合、即ち、操作者の手の指が、図中の符号９で示したような位置になる場合には、手の指の動作と前記ヒンジ構造３によるボタン４の揺陽動とによって、優れた操作感が得られる。
また、前記レンズ５の光軸に近い中心部分には、前記発光ダイオード７の光が十分に入射するので、中心部分は明るく輝き、また、前記レンズ５の周囲部分は前記ヒンジ構造３を覆うように配設したので光は十分には入射せず、レンズの周囲部分は暗くなる。従って、レンズの中心部分から周囲部分に向かって徐々に暗くなるという雰囲気のある点灯状態が得られる。
【実施例１】
【００１２】
本実施例では、前記スイッチ８が押されると、対応した発光ダイオード７が点灯するように構成した。即ち、複数組の発光ダイオード７とスイッチ８において、それぞれの対応する組のスイッチ８が押されると、その組の発光ダイオード７が点灯するように構成したので、優れた操作性と視認性が得られた。
【産業上の利用可能性】
【００１３】
本発明は、複数のスイッチとそれぞれに対応した発光素子とを備えた各種の電子機器に採用することができる。
【図面の簡単な説明】
【００１４】
【図１】本発明にかかるスイッチ構造の実施の形態の分解斜視図である。
【図２】前記スイッチ構造の組み立てた状態の斜視図を示した。
【図３】前記スイッチ構造を構成する成形物の平面図を示した。
【図４】前記成形物の側面図を示した。
【図５】前記スイッチ構造の組み立てた状態の側面断面図を示した。
【図６】背景技術の説明図である。
【符号の説明】
【００１５】
１  遮光性のある不透明な合成樹脂性の成形物
３  ヒンジ構造
４  ボタン
５  レンズ
６  基板
７  発光素子、発光ダイオード
８  （押しボタン式の）スイッチ
【図１】
2005197014.tif 000003
【図２】
2005197014.tif 000004
【図３】
2005197014.tif 000005
【図４】
2005197014.tif 000006
【図５】
2005197014.tif 000007
【図６】
2005197014.tif 000008